(57)【特許請求の範囲】
【請求項１】
QR-MLD復調に関する方法であって、
(a)  SISO、SIMO、MIMO、またはSFBCのうちの1つであるとして、伝送受信モードを決定するステップと、
(b)  複数のストリームを経由して同時にシンボルを受信するステップであって、前記同時に受信されたシンボルが、受信シンボルベクトルyによって表されている、受信するステップと、
(c)  チャネル行列Hを生成するステップと、
(d)  H=QRになるように、Q行列およびR行列を計算するために、前記チャネル行列Hに関してQR分解を実行するステップであって、前記Q行列がユニタリー行列であり、前記R行列が上三角行列である、実行するステップと、
(e)  z=QHyになるように、前記受信シンボルベクトルyを前記Q行列のエルミートQHによって乗算することによって、前記受信シンボルベクトルyを処理するステップであって、zが前記処理された受信シンボルベクトルである、処理するステップと、
(f)  ステップ(a)において決定されたSFBCモードに関して、共役計算が必要になるかどうかを決定して、真の値または偽の値を有する共役フラグを設定するステップと、
(g)  前記処理された受信シンボルベクトルzと前記QR分解の前記R行列とを使用して、前記共役フラグが真である場合、共役の第1の距離メトリック値計算を実行し、でなければ、前記共役フラグが偽である場合、非共役の第1の距離メトリック値計算を実行することによって、第1の距離メトリック値d1,jを計算するステップと、
(h)  前記共役フラグが真である場合、共役の推定シンボル計算を実行し、でなければ、前記共役フラグが偽である場合、非共役の推定シンボル計算を実行することによって、推定シンボル
【数１】
0005310853.tif 000033
を計算するステップと、
(i)  前記推定シンボルを
【数２】
0005310853.tif 000034
として、コンスタレーションにマッピングするステップと、
(j)  前記共役フラグが真である場合、共役の第2の距離メトリック値計算を実行することによって、でなければ、前記共役フラグが偽である場合、非共役の第2の距離メトリック値計算を実行することによって、第2の距離メトリック値d2,jを計算するステップと、
(k)  ステップ(g)および(j)における前記第1の距離メトリック値と前記第2の距離メトリック値とを合計することによって総距離メトリック値dtotal  jを計算するステップと、
(l)  前記ソフトビットを計算するステップと
を含む方法。
【請求項２】
ステップ(f)において、前記SFBCモードが、0からfmaxに及ぶ周波数トーン指標f=(0、fmax)を含み、前記共役フラグが、fが奇数である場合、前記共役フラグが真に設定され、そうでない場合、偽に設定されるように、式f=(0、fmax)によって決定される、請求項１に記載の方法。
【請求項３】
ステップ(g)において、前記共役の第1の距離メトリック値計算が、式
【数３】
0005310853.tif 000035
から計算され、式中、cjがコンスタレーションセットから引き出されたシンボルである、請求項１に記載の方法。
【請求項４】
ステップ(g)において、前記非共役の第1の距離メトリック値計算が、式d1,j=|z2-r2,2cj|2から計算され、式中、cjがコンスタレーションセットから引き出されたシンボルである、請求項１に記載の方法。
【請求項５】
前記コンスタレーションセットが、BPSK、QPSK、8-PSK、16QAM、64QAMを含めて、無線通信において一般に使用される任意のコンスタレーションセットを含む、請求項３または４に記載の方法。
【請求項６】
ステップ(h)において、前記共役の推定シンボル計算が、式
【数４】
0005310853.tif 000036
から計算される、請求項１に記載の方法。
【請求項７】
ステップ(h)において、前記非共役の推定シンボル計算が、式
【数５】
0005310853.tif 000037
から計算される、請求項１に記載の方法。
【請求項８】
ステップ(j)において、前記共役の第2の距離メトリック値計算が、式
【数６】
0005310853.tif 000038
から計算される、請求項１に記載の方法。
【請求項９】
ステップ(j)において、前記非共役の第2の距離メトリック値計算が、式
【数７】
0005310853.tif 000039
から計算される、請求項１に記載の方法。
【請求項１０】
ステップ(k)において、前記総距離メトリック値dtotal  jが、dtotal  j=d1,j+d2,jによって計算される、請求項１に記載の方法。
【請求項１１】
ステップ(l)において、前記ソフトビットが、
(m)  式
【数８】
0005310853.tif 000040
から(
【数９】
0005310853.tif 000041
と示される)第i番目のビット位置内に1を有する、前記コンスタレーション内の前記シンボルから最低距離を計算するステップと、
(n)  式
【数１０】
0005310853.tif 000042
から(
【数１１】
0005310853.tif 000043
と示される)第i番目のビット位置内に0を有する、前記コンスタレーション内の前記シンボルから最低距離を計算するステップと、
(o)  式
【数１２】
0005310853.tif 000044
から前記2つの最低距離を計算するステップと
によって計算される、請求項１に記載の方法。
【発明の詳細な説明】
【技術分野】
【０００１】
参照による引用
本出願は、その開示の全体が参照により本明細書に組み込まれている、2008年11月12日に出願されたオーストラリア仮特許出願第2008905827号からの優先権の利益に基づき、これを主張する。
【０００２】
本発明は、無線通信システムに関し、より詳細には、無線通信システム上で送信されたデータを復調する方法に関する。
【背景技術】
【０００３】
無線通信において、スペクトル効率を改善するための技法が存在する。例えば、受信機は、QR復調、またはMLD  (最尤検出)などの技法を実行するハードウェアを備える。しかし、これらの受信機の多くは複雑である。
【０００４】
さらに、無線通信システム内の現在の受信機は、様々な異なる方法を用いて、送信されたデータを復調することが可能である必要がある。例えば、現在のLTE(ロングタームエボリューション)システムでは、受信機は、いくつかのモード、例えば、2本の送信アンテナ2本の受信アンテナ(2×2)を備えた多入出力(MIMO)システム、1×1単入力単出力(SISO)システム、1×2受信ダイバーシティ(Rxダイバーシティ)システム、2×1または4×1空間周波数ブロック符号(SFBC)、4×2または4×2  SFBC、および4×2または2×2空間多重化(MIMO)からデータを復調することが可能でなければならない。
【０００５】
上記のモードのすべてに対応できる受信機は、ハードウェア内で実装するには複雑であり、結果として、大きなチップサイズをもたらす。
【０００６】
したがって、いくつかの異なるモードを経由して、送信されたデータを復調することができるが、既存の復調方法よりも複雑性が低い、送信データを復調する方法を提供することが望まれることになる。
【０００７】
先行技術として提示される任意の事柄の本明細書の参照は、その事柄が、オーストラリアもしくは他のところで知られていること、またはその事柄が含む情報が、本特許請求の範囲の優先日において、本明細書の一部を形成するとして、共通の一般知識の一部であったことを承認するものと見なされないことは明らかであろう。
【先行技術文献】
【特許文献】
【０００８】
【特許文献１】オーストラリア仮特許出願第２００８９０５８２７号
【発明の概要】
【課題を解決するための手段】
【０００９】
これを考慮して、本発明の一態様は、
(a)  SISO、SIMO、MIMO、またはSFBCのうちの1つであるとして、伝送受信モードを決定するステップと、
(b)  複数のストリームを経由して同時にシンボルを受信するステップであって、これらの同時に受信されたシンボルが、受信シンボルベクトルyによって表されている、受信するステップと、
(c)  チャネル行列Hを生成するステップと、
(d)  H=QRとなるように、Q行列およびR行列を計算するために、チャネル行列Hに関してQR分解を実行するステップであって、Q行列がユニタリー行列であり、R行列が上三角行列である、実行するステップと、
(e)  z=QH  yになるように、受信シンボルベクトルyをQ行列のエルミートQHによって乗算することによって、受信シンボルベクトルyを処理するステップであって、zが処理された受信シンボルベクトルである、処理するステップと、
(f)  ステップ(a)において決定されたSFBCモードに関して、共役計算が必要になるかどうかを決定して、真の値または偽の値を有する共役フラグを設定するステップと、
(g)  処理された受信シンボルベクトルzとQR分解のR行列とを使用することによって、第1の距離メトリック値(distance  metric)d1,jを計算して、その共役フラグが真である場合、共役の第1の距離メトリック計算を実行し、でなければ、共役フラグが偽である場合、非共役の第1の距離メトリック計算を実行するステップと、
(h)  共役フラグが真である場合、共役の推定シンボル計算を実行し、でなければ、共役フラグが偽である場合、非共役の推定シンボル計算を実行することによって、推定シンボル
【００１０】
【数１】
0005310853.tif 000002
【００１１】
を計算するステップと、
(i)  その推定シンボルを
【００１２】
【数２】
0005310853.tif 000003
【００１３】
として、コンスタレーションにマッピングするステップと、
(j)  共役フラグが真である場合、共役の第2の距離メトリック計算を実行することによって、でなければ、共役フラグが偽である場合、非共役の第2の距離メトリック計算を実行することによって、第2の距離メトリック値d2,jを計算するステップと、
(k)  ステップ(g)および(j)における第1の距離メトリック値と第2の距離メトリック値とを合計することによって総距離メトリック値dtotal  jを計算するステップと、
(l)  ソフトビットを計算するステップと
を含む、QR-MLD復調に関する方法を提供する。
【００１４】
ステップ(a)において伝送受信モードを決定するステップが、本発明の方法が、すべての伝送受信モードに関して同じステップを有することを可能にすると有利である。これが、結果として、QR-MLD復調器の複雑性がより低くなると有利である。
【００１５】
さらなる利点では、ステップ(h)および(i)は、(2つの距離がすべての考えられる送信シンボルの組合せに関して計算され、結果として、法外な数の計算につながる)既存の全最尤検出方法の簡素化である。ステップ(h)および(i)は、隣接するアンテナ上で送信された可能性が最も高いシンボルを推定することによって考慮される、考えられる組合せの数を低減する。
【００１６】
好ましくは、ステップ(f)において、SFBCモードは、0からfmaxに及ぶ周波数トーン指標(frequency  tone  index)f=(0、fmax)を含み、共役フラグは、fが奇数である場合、共役フラグが真に設定され、そうでない場合、偽に設定されるように、式f=(0、fmax)によって決定される。
【００１７】
好ましくは、ステップ(g)において、共役の第1の距離メトリック計算は、式
【００１８】
【数３】
0005310853.tif 000004
【００１９】
から計算され、式中、cjはコンスタレーションセットから引き出されたシンボルである。
【００２０】
あるいは、ステップ(g)において、非共役の第1の距離メトリック計算は、式
【００２１】
【数４】
0005310853.tif 000005
【００２２】
から計算され、式中、cjはコンスタレーションセットから引き出されたシンボルである。
【００２３】
このコンスタレーションセットは、BPSK、QPSK、8-PSK、16QAM、64QAMを含めて、無線通信において一般に使用される任意のコンスタレーションセットを含みうる。
【００２４】
好ましくは、ステップ(h)において、共役の推定シンボル計算は、式
【００２５】
【数５】
0005310853.tif 000006
【００２６】
から計算される。
【００２７】
あるいは、ステップ(h)において、非共役の推定シンボル計算は、式
【００２８】
【数６】
0005310853.tif 000007
【００２９】
から計算される。
【００３０】
好ましくは、ステップ(j)において、共役の第2の距離メトリック計算は、式
【００３１】
【数７】
0005310853.tif 000008
【００３２】
から計算される。
【００３３】
あるいは、ステップ(j)において、非共役の第2の距離メトリック計算は、式
【００３４】
【数８】
0005310853.tif 000009
【００３５】
から計算される。
【００３６】
好ましくは、ステップ(k)において、総距離メトリック値dtotal  jは、式dtotal  j=dl,j+d2,jによって計算される。
【００３７】
好ましくは、ステップ(l)において、ソフトビットは、
(m)  式
【００３８】
【数９】
0005310853.tif 000010
【００３９】
から(
【００４０】
【数１０】
0005310853.tif 000011
【００４１】
と示される)第i番目のビット位置内に1を有する、コンスタレーション内のシンボルから最低距離を計算するステップと、
(n)  式
【００４２】
【数１１】
0005310853.tif 000012
【００４３】
から(
【００４４】
【数１２】
0005310853.tif 000013
【００４５】
と示される)第i番目のビット位置内に0を有する、コンスタレーション内のシンボルから最低距離を計算するステップと、
(o)  式
【００４６】
【数１３】
0005310853.tif 000014
【００４７】
から2つの最低距離を計算するステップと
によって計算される。
【００４８】
すべてのモードが同じ方法を使用して処理されることが可能であり、共役計算が計算される必要があるか否かを決定することを省き、それによって、ハードウェア実装の複雑性を低減すると有利である。さらなる利点では、この低減されたハードウェア実装の複雑性は、チップサイズの削減を提供しうる。
【００４９】
以下の説明は、本発明の様々な特徴およびステップのより詳細な説明を参照する。本発明の理解を促すために、本説明において、好ましい実施形態の形で本発明が例示される添付の図面が参照される。しかし、本発明は、図面において例示される好ましい実施形態に限定されない点を理解されたい。
【図面の簡単な説明】
【００５０】
【図１】本発明の一実施形態によるQR-MLD復調器の構成要素のブロック図である。
【図２ａ】本発明の方法におけるステップを示す流れ図である。
【図２ｂ】本発明の方法におけるステップを示す流れ図である。
【発明を実施するための形態】
【００５１】
次に、図1を参照すると、第1の受信機y1上および第2の受信機y2上の受信データI/Qを含むいくつかの入力と、チャネル推定のためのチャネル行列Hと、第1の受信機y1上および第2の受信機y2上の受信データのそれぞれに関連するモード110とを有するQR-MLD復調器100が示される。QR-MLD復調器100は、復調されたソフトビットの出力を2つの出力ストリームx1およびx2上で提供するために、その中にいくつかのモジュールを有する。
【００５２】
QR-MLD復調器100内のモジュールは、SISO、SIMO、MIMO、またはSFBCのうちの1つとして、第1の受信機y1上および第2の受信機y2上の受信データから伝送受信モードを決定するコントローラモジュール105を含む。コントローラモジュール105は、第1の受信機y1上および第2の受信機y2上の受信データに関連する入力をモード110から取得することによってこれを行う。モード110が決定されると、コントローラモジュール105は、制御を、そのそれぞれが、それらのチャネル推定と、第1の受信機y1上および第2の受信機y2上の受信データから作成された受信シンボルとを取得して、適切な送信シンボルが復調されうるように、それらを再構成するチャネル行列モジュール115と再構成シンボルモジュール120とに引き渡す。チャネル行列モジュール115は、4×2チャネル行列Hを構成して、それを出力し、再構成シンボルモジュール120は、4×1受信シンボルベクトルyを構成して、それを出力する。チャネル行列モジュール115から出力された4×2チャネル行列Hは、次いで、QR分解モジュール125内に供給される。再構成シンボルモジュール120から出力された4×1受信シンボルベクトルyは、受信シンボル処理モジュール130内に供給される。QR分解モジュール125は、次いで、受信シンボル処理モジュール130内で使用するために、ユニタリーQ行列と上三角行列Rとを提供する目的で、チャネル行列モジュール115の出力によって提供されたチャネル行列Hに関してQR分解を実行する。受信シンボル処理モジュール130は、その他のモジュール内で使用するために、処理された受信シンボルベクトルzを提供する目的で(再構成シンボルモジュール120から受信された)構成された受信シンボルベクトルyをQR分解モジュール125によって提供されたQ行列のエルミートによって乗算する。第1の距離計算モジュール135は、コントローラモジュール105を経由して、受信データのモード110を検査し、そのモードがSFBCである場合、第1の距離計算モジュール135は、共役計算が必要とされるかどうかも検査して、フラグ160を設定する。次いで、第1の距離計算モジュール135は、フラグ160の値に応じて、共役計算または非共役計算を実行することによって、すべての考えられるコンスタレーションシンボルに関するユークリット距離を計算する。それに続いて、推定シンボルモジュール140は、フラグ160を経由して、共役計算または非共役計算が必要とされるかを検査し、次いで、コンスタレーションセットからのシンボルを考慮して、隣接するストリームから送信されたシンボルを推定する。次いで、制御は、推定シンボルをコンスタレーションセット内の最近接シンボルにマップするマップシンボルモジュール145に移動する。マップシンボルモジュール145は、フラグ160を検査する必要はないが、必要に応じて、コントローラモジュール105と通信中でありうる。第2の距離計算モジュール150は、フラグ160を経由して、共役計算または非共役計算が必要とされるかどうかを決定し、次いで、マップシンボルモジュール145からマップされたシンボルと、コンスタレーションセットからのすべての考えられるシンボルとを使用して、その距離を計算する。次いで、第2の距離計算モジュール150は、総距離計算をソフトビット計算モジュール155に出力するために、第1の距離計算モジュール135の出力と第2の距離計算の結果とを合計す��。ソフトビット計算モジュール155は、それぞれのビット位置に関して、ビットが1および0である最低距離を決定し、ソフトビットを計算するためにそれらの2つを減じる。最終的に、2つの出力ストリームx1およびx2に関して復調されたソフトビットの出力が提供される。
【００５３】
図2は、図1のQR  MLD復調器100のそれぞれによって実行される方法200を示す。
【００５４】
ステップ205において、SISO、SIMO、MIMO、またはSFBCのうちの1つであるとして、受信データの伝送受信モードが決定される。この伝送受信モードを決定するステップが、本発明の方法が、すべての伝送受信モードに関して同じステップを有することを可能にすると有利である。これが、結果として、複雑性がより低いQR-MLD復調器をもたらすと有利である。ステップ210において、シンボルは、(図1のy1およびy2など)複数のストリームを経由して同時に受信され、同時に受信されたシンボルは受信シンボルベクトルyによって表される。ステップ215において、チャネル行列Hが生成される。ステップ210および215において、ステップ220におけるQR分解に適切な行列が構成されるが、チャネル行列構成および受信ベクトル構成は、伝送受信モードに応じて異なることになる。一般に、ステップ210および215の出力は、4×2チャネル行列Hならびに4×1受信シンボルベクトルyになる。(図1に示されるような)  コントローラモジュール105は、適切なチャネル推定と受信シンボルとを提供することが可能である。下のTable  1(表1)は、モードと、考えられるモードのそれぞれに関する対応するチャネル行列構成Hおよび受信ベクトル構成yとを示す。関数hm,n(f)は、送信アンテナnと受信アンテナmとの間の第f番目の周波数トーンのチャネルを示す。
【００５５】
【表１−１】
0005310853.tif 000015
【表１−２】
0005310853.tif 000016
【表１−３】
0005310853.tif 000017
【００５６】
ステップ220において、チャネル行列Hと受信シンボルベクトルyとを使用して、H=QRになるように、Q行列およびR行列を計算するために、チャネル行列Hに関してQR分解が実行され、この場合、Q行列はユニタリー行列であり、R行列は上三角行列である。構成されたチャネル行列Hが4×2であると仮定すると、Qは4×2であり、Rは2×2である。
【００５７】
次いで、制御は、z  =  QHyになるように、受信シンボルベクトルyをQ行列のエルミートQHによって乗算することによって、受信シンボルベクトルyが処理されるステップ225に移動し、式中、zは処理された受信シンボルベクトルである。ステップ230において、ステップ205において決定された伝送受信モードが(例えば、図1のコントローラモジュール105を経由して)検査され、そのモードがSFBCである場合、制御は、共役計算が必要とされるかどうかについて決定されるステップ235に移動する。ステップ230において、そのモードがSFBCに相当しない場合、そのモードは、SISO、SIMO、またはMIMOのうちの1つであるはずであり、制御は、下でさらに説明されるように、ステップ270に移動する。ステップ235は、共役計算が必要とされることになるかどうかを決定し、コントローラモジュール105を経由して、真の値または偽の値を有する共役フラグ160が記録される。以下の規則を使用して、共役フラグ160が設定される。
【００５８】
ステップ205におけるモード=SFBCであり、fが奇数である場合、共役フラグ160は真に相当し、そうでない場合、偽に相当する。上記の規則では、f=(0、fmax)は、0からfmax-1に及ぶ周波数トーン指標である。ステップ235において、上記の規則を経由して、必要とされる計算が共役計算であることが決定された場合、制御はステップ240に移動する。あるいは、非共役計算が必要とされることになることが決定される場合、制御は、ステップ270に移動し、その時点から先の計算は、SISO、SIMO、またはMIMOのいずれに関しても同じである。
【００５９】
ステップ240において、ステップ225からの処理された受信シンボルベクトルzと、ステップ220におけるQR分解のR行列とを使用して、共役の第1の距離行列計算を実行することによって、第1の距離行列d1,jが決定される。この共役の第1の距離行列計算は、式
【００６０】
【数１４】
0005310853.tif 000018
【００６１】
から計算され、式中、cjはコンスタレーションセットから引き出されたシンボルである。このコンスタレーションセットは、BPSK、QPSK、8-PSK、16QAM、および64QAMを含めて、無線通信において一般に使用される任意のコンスタレーションセットであってよい。
【００６２】
ステップ245において、推定シンボル
【００６３】
【数１５】
0005310853.tif 000019
【００６４】
は、式
【００６５】
【数１６】
0005310853.tif 000020
【００６６】
から共役の推定シンボル計算を実行することによって計算される。
【００６７】
ステップ250において、推定シンボルは
【００６８】
【数１７】
0005310853.tif 000021
【００６９】
として、コンスタレーションにマップされる。
【００７０】
ステップ250のマッピングは、当技術分野で知られているような実装の方法に応じて異なりうる。本発明では、任意のマッピング方法が使用されうる点を理解されよう。例えば、簡単な方法は、コンスタレーション内のそれぞれのシンボルが位置することになる範囲を決定して、シンボルをマップするために、これらの範囲を使用することであろう。QPSKを例に挙げると、1つのシンボルがコンスタレーション図のそれぞれの象限内に含まれる。したがって、どのコンスタレーションシンボルが推定されたシンボルに最も厳密に整合するかを決定するために、
【００７１】
【数１８】
0005310853.tif 000022
【００７２】
の真の成分と虚の成分とが評価されうる。例えば、推定シンボルが、0より大きな真の成分と虚の成分とを有する場合、マップされたシンボルは、第1の象限内の1つ(1+1j)となる。16-QAMコンスタレーションセットおよび64QAMコンスタレーションセットの場合、「スライス(slicing)」ポイントが調整されうる。
【００７３】
当技術分野で知られている代替のマッピング方法は、それぞれのシンボルが位置する、コンスタレーション図の象限を検出するステップと、既に検出された象限の中央に位置するように象限の原点を反復的にシフトするステップとを含む。次いで、最終的な象限位置に基づいて、それらのシンボルがマップされうる。シンボルマッピングのこの方法は、より容易に(位相と振幅とが異なる)QAMコンスタレーションに役立つ。
【００７４】
ステップ255において、第2の距離メトリック値d2、jは、
【００７５】
【数１９】
0005310853.tif 000023
【００７６】
を経由して、共役の第2の距離メトリック値計算を実行することによって計算される。
【００７７】
ステップ260において、総距離メトリック値dtotal  jは、ステップ240および255で計算された第1の距離メトリック値d1、jの結果と第2の距離メトリック値d2、jの結果とを合計することによって計算され、式dtotal  j=d1、j+d2、jによって提示される。
【００７８】
次いで、制御は、ソフトビットが以下によって決定されるステップ265に移動する。
式
【００７９】
【数２０】
0005310853.tif 000024
【００８０】
から(
【００８１】
【数２１】
0005310853.tif 000025
【００８２】
と示される)第i番目のビット位置内に1を有する、コンスタレーション内のシンボルから最低距離を計算するステップ
式
【００８３】
【数２２】
0005310853.tif 000026
【００８４】
から(
【００８５】
【数２３】
0005310853.tif 000027
【００８６】
と示される)第i番目のビット位置内に0を有する、コンスタレーション内のシンボルから最低距離を計算するステップ
式
【００８７】
【数２４】
0005310853.tif 000028
【００８８】
から2つの最低距離を計算するステップ。
【００８９】
ステップ230において、そのモードがSFBCに相当せず、SISO、SIMO、またはMIMOのうちの1つであった場合、非共役計算が実行されうるため、制御は、ステップ240ではなく、ステップ270に移動する。さらに、ステップ235において、ステップ230において、そのモードがSFBCであったと決定されても、提供される共役計算はSFBCモードに関して必要とされず、制御はステップ270にも移動する。ステップ270において、第1の距離メトリック値d1,jは、処理された受信シンボルベクトルzとステップ220におけるQR分解のR行列とを使用して、式d1,j=|z2-r2,2cj|2から非共役の第1の距離メトリック値計算を実行することによって計算され、式中、cjはコンスタレーションセットから引き出されたシンボルである。このコンスタレーションセットは、BPSK、QPSK、8-PSK、16QAM、または64QAMを含めて、無線通信において一般に使用される任意のコンスタレーションセットを含みうる。
【００９０】
ステップ275において、推定シンボル
【００９１】
【数２５】
0005310853.tif 000029
【００９２】
は、式
【００９３】
【数２６】
0005310853.tif 000030
【００９４】
から非共役の推定シンボル計算を実行することによって計算される。
【００９５】
ステップ280において、推定シンボルは
【００９６】
【数２７】
0005310853.tif 000031
【００９７】
としてコンスタレーションにマップされる。
【００９８】
ステップ285において、第2の距離メトリック値d2,jは、
【００９９】
【数２８】
0005310853.tif 000032
【０１００】
から非共役の第2の距離メトリック値計算を実行することによって計算される。
【０１０１】
ステップ290において、総距離メトリック値dtotal  jは、ステップ270および285において計算された第1の距離メトリック値と第2の距離メトリック値とを合計することによって計算される。
【０１０２】
最終的に、ステップ295において、ソフトビットが上記のステップ265と同じように決定される。
【０１０３】
有利には、図1に示されるように、それぞれのモードにおいて同じ機能モジュールを使用するだけでなく、この方法ステップがSISOモード/SIMOモードの間、SFBCモード/MIMOモードの間で変わらない現在の方法は、SISOモード、SIMOモード、SFBCモード、およびMIMOモードを使用して送信されたシンボルを検出して、復調することができる。すべてのモードが同じ方法を使用して処理されることが可能であり、共役計算が計算される必要があるか否かを決定することを省き、それによって、ハードウェア実装の複雑性を低減すると有利である。さらなる利点では、この低減されたハードウェア実装の複雑性は、チップサイズの削減を提供しうる。
【０１０４】
例示のために、本発明の例示的な実施形態が開示されているが、当業者は、本発明の範囲から逸脱せずに、様々な修正、追加、および代替が可能であることを理解されよう。したがって、本発明は、上述の実施形態に限定されず、以下の特許請求の範囲によって画定される。
【産業上の利用可能性】
【０１０５】
本発明は、いくつかの異なる通信モードを経由して、送信されたデータの復調を円滑にするために、無線通信システム上で送信されるデータを復調する際に使用されうる。
【符号の説明】
【０１０６】
100  QR-MLD復調器
105  コントローラモジュール
110  モード
115  チャネル行列モジュール
120  再構成シンボルモジュール
125  QR分解モジュール
130  受信シンボル処理モジュール
135  第1の距離計算モジュール
140  推定シンボルモジュール
145  マップシンボルモジュール
150  第2の距離計算モジュール
155  ソフトビット計算モジュール
160  フラグ
【図１】
0005310853.tif 000045
【図２ａ】
0005310853.tif 000046
【図２ｂ】
0005310853.tif 000047